(57)【要約】【課題】アナログ音声信号について簡易な構成で音質を調整する。【解決手段】反転アンプ１２にはアナログ音声信号が入力される。反転アンプ１２は１個のオペアンプ２２に対し複数個の抵抗回路網２４−１、２４−２、…、２４−ｎが並列に用意されている。抵抗回路網２４−１、２４−２、…、２４−ｎは相互に材料が異なる抵抗素子で構成されている。操作者による音楽種類選択操作に基づき単一の抵抗回路網が選択されてオペアンプ２２に接続される。これにより音楽の種類（あるいは操作者の好み）に合った音質で音楽を再生することができる。【選択図】図１
2011139386.tif 000002
【特許請求の範囲】
【請求項１】
アナログ音声信号が流れる回路に配置される抵抗回路網として用意された、少なくとも一部の抵抗素子の材料が複数系統の抵抗回路網で相互に相違している当該複数系統の抵抗回路網と、
前記複数系統の抵抗回路網を切り換えて前記回路に配置する抵抗種類切換手段と
を具備してなる音質調整回路。
【請求項２】
操作者により選択操作される抵抗種類選択操作手段と、
該抵抗種類選択操作手段による選択操作に基づき前記抵抗種類切換手段を切換制御する抵抗種類切換制御手段と
をさらに具備してなる請求項１記載の音質調整回路。
【請求項３】
前記抵抗種類選択操作手段に付属して、該抵抗種類選択操作手段により選択される抵抗素子の種類に対応付けられている音楽の種類を表示する音楽種類表示手段を具えている請求項２記載の音質調整回路。
【請求項４】
前記複数系統の抵抗回路網が、増幅器のゲインを設定する抵抗回路網、分圧回路を構成する抵抗回路網、電子ボリウム回路を構成する抵抗回路網のいずれかであり、
個々の抵抗回路網を構成する複数の抵抗素子の相互の抵抗比率が該複数系統の抵抗回路網で相互に等しく設定されている請求項１から３のいずれか１つに記載の音質調整回路。
【請求項５】
アナログ音声信号が流れる回路に配置される抵抗素子として、相互に異なる材料で構成された複数種類の抵抗素子を用意し、これら複数種類の抵抗素子を切り換えて前記回路に配置して音質調整する方法。
【発明の詳細な説明】
【技術分野】
【０００１】
この発明は音質調整方法および音質調整回路に関し、簡易な構成で音質を調整できるようにしたものである。
【背景技術】
【０００２】
従来、音声信号の音質調整は、アナログ音声信号の場合はアナログフィルタ回路を用いて行われ、ディジタル音声信号の場合はＤＳＰ（Digital Signal Processor）等によるディジタルフィルタ回路を用いて行われていた。ＤＳＰを用いた音質調整回路として下記特許文献１〜３に記載されたものがあった。
【先行技術文献】
【特許文献】
【０００３】
【特許文献１】実開平６−１９３９４号公報
【特許文献２】特開２００５−３４１１８６号公報
【特許文献３】特開２００６−３３９８６４号公報
【発明の概要】
【発明が解決しようとする課題】
【０００４】
フィルタ回路を用いた音質調整回路は複雑で高価であった。
【０００５】
この発明は上述の点に鑑みてなされたもので、簡易な構成で音質を調整できるようにした音質調整方法および音質調整回路を提供しようとするものである。
【課題を解決するための手段】
【０００６】
この発明の音質調整方法はアナログ音声信号が流れる回路に配置される抵抗素子（あるいは抵抗回路網）として、相互に異なる材料で構成された複数種類の抵抗素子（あるいは少なくとも一部の抵抗素子の材料が複数系統の抵抗回路網で相互に相違している当該複数系統の抵抗回路網）を用意し（抵抗回路網を用意する場合は、個々の抵抗回路網は全抵抗素子を同じ材料で統一してもよいし、異なる材料の抵抗素子を含ませてもよい。さらに一部の抵抗素子を複数の抵抗回路網で共用してもよい）、これら複数種類の抵抗素子（あるいは複数系統の抵抗回路網）を切り換えて前記回路に配置して音質調整するものである。実験によれば、アナログ音声信号が流れる回路に配置する抵抗素子の材料によって該アナログ信号による楽音の音質が変化することがわかった。したがって相互に異なる材料で構成された抵抗素子あるいは抵抗回路網をアナログ音声信号が流れる回路に切り換えて配置することにより、フィルタ回路で音質を調整する場合に比べて簡易な構成で音質を調整することができる。
【０００７】
この発明の音質調整回路はアナログ音声信号が流れる回路に配置される抵抗素子（あるいは抵抗回路網）として用意された、相互に異なる材料で構成された複数種類の抵抗素子（あるいは少なくとも一部の抵抗素子の材料が複数系統の抵抗回路網で相互に相違している当該複数系統の抵抗回路網）と、前記複数種類の抵抗素子（あるいは複数系統の抵抗回路網）を切り換えて前記回路に配置する抵抗種類切換手段とを具備してなるものである。抵抗回路網を具備する場合は、個々の抵抗回路網は全抵抗素子を同じ材料で統一してもよいし、異なる材料の抵抗素子を含ませてもよい。さらに一部の抵抗素子を複数の抵抗回路網で共用してもよい。この発明の音質調整回路は操作者により選択操作される抵抗種類選択操作手段と、該抵抗種類選択操作手段による選択操作に基づき前記抵抗種類切換手段を切換制御する抵抗種類切換制御手段をさらに具備することができる。この発明の音質調整回路は前記抵抗種類選択操作手段に付属して、該抵抗種類選択操作手段により選択される抵抗素子の種類に対応付けられている音楽の種類を表示する音楽種類表示手段を具えることができる。これによれば音楽の種類（あるいは操作者の好み）に合った音質で音楽を再生できる。この発明の音質調整回路は例えば前記複数種類の抵抗素子を相互に同一抵抗値に設定することができる。この発明において前記抵抗回路網は例えば、増幅器のゲインを設定する抵抗回路網（例えばオペアンプに抵抗回路網を接続して構成される増幅器の当該抵抗回路網）、分圧回路を構成する抵抗回路網、電子ボリウム回路を構成する抵抗回路網等として構成することができ、このとき、個々の抵抗回路網を構成する複数の抵抗素子の相互の抵抗比率を該複数系統の抵抗回路網で相互に等しく設定することができる。これによれば音量を変化させることなく抵抗回路網を切り換えることができる。
【図面の簡単な説明】
【０００８】
【図１】この発明の音質調整回路の実施の形態１を示す回路図である。
【図２】抵抗素子による音質の違いについて試聴評価試験を行った集積回路のブロック図である。
【図３】音楽種類選択操作子および音楽種類表示手段の一例を示す正面図である。
【図４】この発明の音質調整回路の実施の形態２を示す回路図である。
【図５】この発明の音質調整回路の実施の形態３を示す回路図である。
【図６】この発明の音質調整回路の実施の形態４を示す回路図である。
【図７】この発明の音質調整回路の実施の形態５を示す回路図である。
【図８】この発明の音質調整回路の実施の形態６を示す回路図である。
【発明を実施するための形態】
【０００９】
この発明の実施の形態を説明する。はじめに抵抗素子を構成する材料による音質の違いについて説明する。本出願人会社製のＩＣ（ＬＳＩ）であるＹＤＡ１５８について、内蔵するヘッドフォンアンプの帰還抵抗を様々な材料で作製して、音楽信号を入力し出力信号をヘッドフォンで再生して比較試聴した。このＩＣのブロック図を図２に示す。ＩＣ１（ＹＤＡ１５８）は携帯電話機に搭載されるもので、音楽信号をヘッドフォンアンプ２で電力増幅してヘッドフォンジャック３に差し込まれたヘッドフォン（図示せず）で再生する機能と、別途着信音をＤ級アンプ４で増幅してスピーカ５で鳴らす機能を有するものである。ヘッドフォンアンプ２は左右各チャンネルのオペアンプ６，７を具えている。オペアンプ６，７には各チャンネル２個ずつ合計４個の抵抗素子Ｒa、Ｒb、Ｒc、Ｒdで構成される帰還抵抗回路網８が接続される。この帰還抵抗回路網８の抵抗素子Ｒa〜Ｒdを次の各材料で作製してそれぞれ試聴評価を行った。
〈抵抗素子Ｒa〜Ｒdの材料〉
・ポリシリコン一層（実際の製品で使用されている材料）
・タンタル一層
・窒化タンタル一層
・窒化タンタル／タンタル二層（“／”はその前側に表記した材料が上層を構成し、その後側に表記した材料が下層を構成することを意味する。以下同じ）
・窒化タンタル／チタン（Ｔｉ）二層（厚み比が１：１）
・窒化タンタル／チタン二層（厚み比が１：３）
【００１０】
試聴評価は５名の半導体技術者がそれぞれヘッドフォンで同一音楽ソースを試聴して行った。評価は点数評価ではなく、絶対的な印象評価で優劣を評価した。評価結果は次のとおりであった。
〈試聴評価結果〉
・ポリシリコン一層：音場感が狭くステレオ感に乏しい。音楽のハーモニーが少ない。
・タンタル一層：低音に軽快感が無くもたつく。高域が少し金属的で耳につき良い印象ではない。
・窒化タンタル一層：低音がクリアで響きがきれい。
・窒化タンタル／タンタル二層：ピアノに潤いや豊かさがあり音楽が心地よい。
・窒化タンタル／チタン二層（厚み比が１：１）：ピアノの音に潤いが少ない。音が金属的に感じる。
・窒化タンタル／チタン二層（厚み比が１：３）：低音高音のバランスが良く、音質は明るいが薄っぺらい。
【００１１】
以上の試聴評価によれば、抵抗素子を構成する材料によって音質が変化することがわかる。したがって再生する音楽の種類（あるいは操作者の好み）によって抵抗素子の材料を切り換えることにより、音楽の種類（あるいは操作者の好み）に合った音質で音楽を再生できる。
【００１２】
《実施の形態１》
この発明の実施の形態１を図１に示す。これはオーディオ用アンプを搭載するＩＣ（ＬＳＩ）１０に内蔵される反転アンプ１２にこの発明を適用したものである。アナログまたはディジタル音声信号（楽音信号）はＩＣ１０の音声信号入力端子１４から入力され、信号処理手段１６で適宜の信号処理が施される。該信号処理が施された音声信号は信号処理手段１６からアナログ信号で出力される。信号処理手段１６から出力されたアナログ音声信号は反転アンプ１２で電圧および電力増幅され、ＩＣ１０の出力端子１８から出力され、スピーカ２０に供給されて発音される。
【００１３】
反転アンプ１２は１個のオペアンプ２２に対し複数個の抵抗回路網２４−１、２４−２、…、２４−ｎが並列に用意され、操作者（リスナー）による切換操作（音楽種類選択操作）に基づき単一の抵抗回路網を選択してオペアンプ２２に接続するように構成されている。抵抗回路網２４−１、２４−２、…、２４−ｎは相互に材料が異なる抵抗素子で構成されている。前述のように、抵抗素子の材料によって再生音の音質が変化するので、再生する音楽の種類（あるいは操作者の好み）に応じてこれら抵抗回路網２４−１、２４−２、…、２４−ｎを切り換えてオペアンプ２２に接続することにより、音楽の種類（あるいは操作者の好み）に合った音質で音楽を再生することができる。
【００１４】
各抵抗回路網２４−１、２４−２、…、２４−ｎはそれぞれ２個の抵抗素子Ｒa（Ｒa1、Ｒa2、…、Ｒan）、Ｒb（Ｒb1、Ｒb2、…、Ｒbn）で構成される。抵抗素子Ｒa（Ｒa1、Ｒa2、…、Ｒan）は反転アンプ１２の入力端子２６とオペアンプ２２の反転入力端２２ａとの間に接続される。抵抗素子Ｒb（Ｒb1、Ｒb2、…、Ｒbn）はオペアンプ２２の反転入力端２２ａと出力端２２ｃとの間に接続される。オペアンプ２２の非反転入力端２２ｂは接地されている。各抵抗素子の抵抗値は
Ｒa1＝Ｒa2＝…＝Ｒan
Ｒb1＝Ｒb2＝…＝Ｒbn
に設定されている。したがって抵抗素子Ｒa（Ｒa1、Ｒa2、…、Ｒan）の抵抗値をｒa、抵抗素子Ｒb（Ｒb1、Ｒb2、…、Ｒbn）の抵抗値をｒbとすると、反転アンプ１２のゲインＧは
Ｇ＝ｒb／ｒa
となる。なお抵抗値を等しくする設定に代えて、
Ｒa1：Ｒb1＝Ｒa2：Ｒb2＝…＝Ｒan：Ｒbn
のように抵抗比率を等しくする設定によっても、抵抗回路網２４−１、２４−２、…、２４−ｎの切り換えにかかわらずゲインを一定にすることができる。
【００１５】
抵抗回路網２４−１、２４−２、…、２４−ｎの切り換えを行うために、反転アンプ１２の入力端子２６と抵抗素子Ｒa1、Ｒa2、…、Ｒanとの間にスイッチＳＷ１（抵抗種類切換手段）が配置され、抵抗素子Ｒa1、Ｒb1の接続点、抵抗素子Ｒa2、Ｒb2の接続点、…、抵抗素子Ｒan、Ｒbnの接続点とオペアンプ２２の反転入力端２２ａとの間にスイッチＳＷ２（抵抗種類切換手段）が配置されている。スイッチＳＷ１、ＳＷ２は操作者による音楽種類選択操作に応じて切換制御される。すなわちＩＣ１０の音楽種類選択信号入力端子（抵抗種類選択信号入力端子）２８には操作者の音楽種類選択操作（抵抗種類選択操作）に応じた音楽種類選択信号（抵抗種類選択信号）が入力される。抵抗種類切換制御手段３０は該音楽種類選択信号に応じて抵抗種類切換制御信号を出力することで、スイッチＳＷ１、ＳＷ２を連動して切り換えて、オペアンプ２２に、抵抗回路網２４−１、２４−２、…、２４−ｎのうち、操作者の音楽種類選択操作に応じた単一の抵抗回路網を接続する。すなわちスイッチＳＷ１が接点Ｓ11に接続されているときはスイッチＳＷ２は接点Ｓ21に接続され、スイッチＳＷ１が接点Ｓ12に接続されているときはスイッチＳＷ２は接点Ｓ22に接続され、・・・、スイッチＳＷ１が接点Ｓ1nに接続されているときはスイッチＳＷ２は接点Ｓ2nに接続される。
【００１６】
操作者がスイッチＳＷ１、ＳＷ２の音楽種類選択操作をする音楽種類選択操作子（抵抗種類選択操作手段）の一例を図３に示す。この音楽種類選択操作子３２はＩＣ１０が搭載されるプリメインアンプの前面パネル３４に配置された回転式スイッチの操作子を構成するものである。音楽種類選択操作子３２の周囲の前面パネル３４には、各切換位置に対応して「クラシック」、「ロック」、「ポップス」、…、「ノイジー（レトロ）」等の音楽の種類を示す表示３６（音楽種類表示手段）が印字されている。音楽種類選択操作子３２を任意の選択位置に操作すると、回転式スイッチからはその選択位置に応じた音楽種類選択信号が出力される。なお音楽種類選択操作子は回転式スイッチに代えてボタン式スイッチで構成することもできる。その場合は選択された音楽の種類をＬＣＤ等で文字表示することができる。
【００１７】
音楽種類と抵抗回路網２４−１、２４−２、…、２４−ｎを構成する抵抗素子Ｒa（Ｒa1、Ｒa2、…、Ｒan）、Ｒb（Ｒb1、Ｒb2、…、Ｒbn）の材料の設定例を以下に示す。
音楽種類          抵抗回路網    抵抗素子            抵抗材料              
「クラシック」        ２４−１   Ｒa1、Ｒb1    窒化タンタル／タンタル二層
「ロック」            ２４−２   Ｒa2、Ｒb2    窒化タンタル／チタン二層
「ポップス」          ２４−３   Ｒa3、Ｒb3    窒化タンタル一層
：                   ：         ：                ：
「ノイジー（レトロ）」２４−ｎ   Ｒan、Ｒbn    ポリシリコン一層
【００１８】
なお図１に二点鎖線Ｌで示すように、反転アンプ１２の入力端子２６とオペアンプ２２の反転入力端２２ａ間、およびオペアンプ２２の反転入力端２２ａと出力端２２ｃ間にそれぞれ抵抗素子Ｒam、Ｒbmを固定的に配置して、スイッチＳＷ１、ＳＷ２で選択された抵抗回路網の各抵抗素子と抵抗素子Ｒam、Ｒbmをそれぞれ並列に接続して反転アンプ２２に接続することもできる。
【００１９】
《実施の形態２》
この発明の実施の形態２を図４に示す。これはオーディオ用アンプを搭載するＩＣ（ＬＳＩ）４０に内蔵される非反転アンプ４２にこの発明を適用したものである。実施の形態１と共通する部分には同一の符号を用いる。アナログまたはディジタル音声信号（楽音信号）はＩＣ４０の音声信号入力端子１４から入力され、信号処理手段１６で適宜の信号処理が施される。該信号処理が施された音声信号は信号処理手段１６からアナログ信号で出力され、非反転アンプ４２で電圧および電力増幅され、ＩＣ４０の出力端子１８から出力され、スピーカ２０に供給されて発音される。
【００２０】
非反転アンプ４２は１個のオペアンプ２２に対し複数個の抵抗回路網４４−１、４４−２、…、４４−ｎが並列に用意され、操作者による切換操作（音楽種類選択操作）に基づき単一の抵抗回路網を選択してオペアンプ２２に接続するように構成されている。抵抗回路網４４−１、４４−２、…、４４−ｎは相互に材料が異なる抵抗素子で構成されている。再生する音楽の種類（あるいは操作者の好み）に応じてこれら抵抗回路網４４−１、４４−２、…、４４−ｎを切り換えてオペアンプ２２に接続することにより、音楽の種類（あるいは操作者の好み）に合った音質で音楽を再生することができる。
【００２１】
各抵抗回路網４４−１、４４−２、…、４４−ｎはそれぞれ２個の抵抗素子Ｒc（Ｒc1、Ｒc2、…、Ｒcn）、Ｒd（Ｒd1、Ｒd2、…、Ｒdn）で構成される。抵抗素子Ｒc（Ｒc1、Ｒc2、…、Ｒcn）はオペアンプ２２の反転入力端２２ａと出力端２２ｃとの間に接続される。抵抗素子Ｒd（Ｒd1、Ｒd2、…、Ｒdn）はオペアンプ２２の反転入力端２２ａと接地電位との間に接続される。各抵抗素子の抵抗値は
Ｒc1＝Ｒc2＝…＝Ｒcn
Ｒd1＝Ｒd2＝…＝Ｒdn
に設定されている。したがって抵抗素子Ｒc（Ｒc1、Ｒc2、…、Ｒcn）の抵抗値をｒc、抵抗素子Ｒd（Ｒd1、Ｒd2、…、Ｒdn）の抵抗値をｒdとすると、非反転アンプ４２のゲインＧは
Ｇ＝（ｒc＋ｒd）／ｒd
となる。なお抵抗値を等しくする設定に代えて、
Ｒc1：Ｒd1＝Ｒc2：Ｒd2＝…＝Ｒcn：Ｒdn
のように抵抗比率を等しくする設定によっても、抵抗回路網４４−１、４４−２、…、４４−ｎの切り換えにかかわらずゲインを一定にすることができる。
【００２２】
抵抗回路網４４−１、４４−２、…、４４−ｎの切り換えを行うために、抵抗素子Ｒd1、Ｒd2、…、Ｒdnと接地電位との間にスイッチＳＷ３（抵抗種類切換手段）が配置され、抵抗素子Ｒc1、Ｒd1の接続点、抵抗素子Ｒc2、Ｒd2の接続点、…、抵抗素子Ｒcn、Ｒdnの接続点とオペアンプ２２の反転入力端２２ａとの間にスイッチＳＷ４（抵抗種類切換手段）が配置されている。スイッチＳＷ３、ＳＷ４は実施の形態１のスイッチＳＷ１、ＳＷ２と同様に操作者による音楽種類選択操作に応じて切換制御される。すなわちスイッチＳＷ３が接点Ｓ31に接続されているときはスイッチＳＷ４は接点Ｓ41に接続され、スイッチＳＷ３が接点Ｓ32に接続されているときはスイッチＳＷ４は接点Ｓ42に接続され、・・・、スイッチＳＷ３が接点Ｓ3nに接続されているときはスイッチＳＷ４は接点Ｓ4nに接続される。
【００２３】
《実施の形態３》
この発明の実施の形態３を図５に示す。これはオーディオ用アンプを搭載するＩＣ（ＬＳＩ）５０に内蔵される分圧回路５２にこの発明を適用したものである。実施の形態１と共通する部分には同一の符号を用いる。アナログまたはディジタル音声信号（楽音信号）はＩＣ５０の音声信号入力端子１４から入力され、信号処理手段１６で適宜の信号処理が施される。該信号処理が施された音声信号は信号処理手段１６からアナログ信号で出力され、分圧回路５２で分圧され、オペアンプ２２で構成されるバッファアンプを介してＩＣ５０の出力端子１８から出力され、スピーカ２０に供給されて発音される。
【００２４】
分圧回路５２は複数個の抵抗回路網５４−１、５４−２、…、５４−ｎが並列に用意され、操作者による切換操作（音楽種類選択操作）に基づき単一の抵抗回路網が選択される。抵抗回路網５４−１、５４−２、…、５４−ｎは相互に材料が異なる抵抗素子で構成されている。再生する音楽の種類（あるいは操作者の好み）に応じてこれら抵抗回路網５４−１、５４−２、…、５４−ｎを切り換えることにより、音楽の種類（あるいは操作者の好み）に合った音質で音楽を再生することができる。
【００２５】
各抵抗回路網５４−１、５４−２、…、５４−ｎはそれぞれ２個の抵抗素子Ｒe（Ｒe1、Ｒe2、…、Ｒen）、Ｒf（Ｒf1、Ｒf2、…、Ｒfn）で構成される。抵抗素子Ｒe（Ｒe1、Ｒe2、…、Ｒen）は分圧回路５２の入力端子５６とオペアンプ２２の非反転入力端２２ｂとの間に接続される。抵抗素子Ｒf（Ｒf1、Ｒf2、…、Ｒfn）はオペアンプ２２の非反転入力端２２ｂと接地電位との間に接続される。各抵抗素子の抵抗値は
Ｒe1＝Ｒe2＝…＝Ｒen
Ｒf1＝Ｒf2＝…＝Ｒfn
に設定されている。したがって抵抗素子Ｒe（Ｒe1、Ｒe2、…、Ｒen）の抵抗値をｒe、抵抗素子Ｒf（Ｒf1、Ｒf2、…、Ｒfn）の抵抗値をｒfとすると、分圧回路５２の入力信号電圧はｒf／（ｒe＋ｒf）に分圧されてオペアンプ２２の非反転入力端２２ｂに入力される。なお抵抗値を等しくする設定に代えて、
Ｒe1：Ｒf1＝Ｒe2：Ｒf2＝…＝Ｒen：Ｒfn
のように抵抗比率を等しくする設定によっても、抵抗回路網５４−１、５４−２、…、５４−ｎの切り換えにかかわらずゲインを一定にすることができる。
【００２６】
抵抗回路網５４−１、５４−２、…、５４−ｎの切り換えを行うために、抵抗素子Ｒf1、Ｒf2、…、Ｒfnと接地電位との間にスイッチＳＷ５（抵抗種類切換手段）が配置され、抵抗素子Ｒe1、Ｒf1の接続点、抵抗素子Ｒe2、Ｒf2の接続点、…、抵抗素子Ｒen、Ｒfnの接続点とオペアンプ２２の非反転入力端２２ｂとの間にスイッチＳＷ６（抵抗種類切換手段）が配置されている。スイッチＳＷ５、ＳＷ６は実施の形態１のスイッチＳＷ１、ＳＷ２と同様に操作者による音楽種類選択操作に応じて切換制御される。すなわちスイッチＳＷ５が接点Ｓ51に接続されているときはスイッチＳＷ６は接点Ｓ61に接続され、スイッチＳＷ５が接点Ｓ52に接続されているときはスイッチＳＷ６は接点Ｓ62に接続され、・・・、スイッチＳＷ５が接点Ｓ5nに接続されているときはスイッチＳＷ６は接点Ｓ6nに接続される。
【００２７】
《実施の形態４》
この発明の実施の形態４を図６に示す。これはオーディオ用アンプを搭載するＩＣ（ＬＳＩ）６０に内蔵される電子ボリウム回路６２にこの発明を適用したものである。実施の形態１と共通する部分には同一の符号を用いる。アナログまたはディジタル音声信号（楽音信号）はＩＣ６０の音声信号入力端子１４から入力され、信号処理手段１６で適宜の信号処理が施される。該信号処理が施された音声信号は信号処理手段１６からアナログ信号で出力され、電子ボリウム回路６２で音量調整されてＩＣ６０の出力端子１８から出力され、スピーカ２０に供給されて発音される。
【００２８】
電子ボリウム回路６２は１個のオペアンプ２２に対して複数個の抵抗回路網６４−１、６４−２、…、６４−ｎが並列に用意され、操作者による切換操作（音楽種類選択操作）に基づき単一の抵抗回路網を選択してオペアンプ２２に接続するように構成されている。抵抗回路網６４−１、６４−２、…、６４−ｎは相互に材料が異なる抵抗素子で構成されている。再生する音楽の種類（あるいは操作者の好み）に応じてこれら抵抗回路網６４−１、６４−２、…、６４−ｎを切り換えることにより、音楽の種類（あるいは操作者の好み）に合った音質で音楽を再生することができる。
【００２９】
各抵抗回路網６４−１、６４−２、…、６４−ｎはそれぞれ複数個の抵抗素子Ｒ1（Ｒ11、Ｒ12、…、Ｒ1m）、Ｒ2（Ｒ21、Ｒ22、…、Ｒ2m）、・・・、Ｒn（Ｒn1、Ｒn2、…、Ｒnm）を直列接続して構成される。抵抗回路網６４−１、６４−２、…、６４−ｎは電子ボリウム回路６２の入力端子６６とオペアンプ２２の出力端２２ｃとの間に相互に並列に接続される。各抵抗回路網６４−１、６４−２、…、６４−ｎの直列接続された抵抗素子の各段からはそれぞれタップが引き出され、任意のタップをオペアンプ２２の反転入力端２２ａに接続することにより音量が調整される。各抵抗素子の抵抗値は
Ｒ11：Ｒ12：…：Ｒ1m＝Ｒ21：Ｒ22：…：Ｒ2m＝・・・＝Ｒn1：Ｒn2：…：Ｒnm
に設定され、特に、
Ｒ11＝Ｒ21＝…＝Ｒn1
Ｒ12＝Ｒ22＝…＝Ｒn2
：    ：        ：
Ｒ1m＝Ｒ2m＝…＝Ｒnm
に設定することができる。
【００３０】
抵抗回路網６４−１、６４−２、…、６４−ｎの切り換えを行うために、電子ボリウム回路６２の入力端子６６と抵抗回路網６４−１、６４−２、…、６４−ｎとの間にスイッチＳＷ７（抵抗種類切換手段）が配置されている。また音量調整を行うために抵抗回路網６４−１、６４−２、…、６４−ｎの各タップとオペアンプ２２の反転入力端２２ａとの間にスイッチＳＷ８（抵抗種類切換手段）が配置されている。スイッチＳＷ７、ＳＷ８は実施の形態１のスイッチＳＷ１、ＳＷ２と同様に操作者による音楽種類選択操作に応じて切換制御される。さらにスイッチＳＷ８は操作者による音量調整操作に応じて切換制御される。すなわち操作者の音量調整操作に対応したデコード信号は音量調整信号入力端子６８を経てボリウム制御手段７０に入力される。ボリウム制御手段７０は抵抗回路網６４−１、６４−２、…、６４−ｎのうちスイッチＳＷ７で選択されたものについて、スイッチＳＷ８を該デコード信号に応じた端子に接続することにより音量調整を行う。すなわちスイッチＳＷ７が接点Ｓ71に接続されているときは、スイッチＳＷ８は接点Ｓ811、Ｓ812、…、Ｓ81mのうち音量調整操作に応じた１つに接続され、スイッチＳＷ７が接点Ｓ72に接続されているときは、スイッチＳＷ８は接点Ｓ821、Ｓ822、…、Ｓ82mのうち音量調整操作に応じた１つに接続され、スイッチＳＷ７が接点Ｓ7nに接続されているときは、スイッチＳＷ８は接点Ｓ8n1、Ｓ8n2、…、Ｓ8nmのうち音量調整操作に応じた１つに接続される。
【００３１】
《実施の形態５》
この発明の実施の形態５を図７に示す。これは図１の実施の形態において抵抗素子Ｒb1、Ｒb2、…、Ｒbnを１個の抵抗素子Ｒbで共用したものである。なお図７は反転アンプ１２内の構成のみ示す。図１と共通する部分には同一の符号を用いる。音楽種類選択操作子および音楽種類表示手段は例えば前記図３に示したものを使用することができる。反転アンプ１２以外の構成は図１と同じである。抵抗値はＲa1＝Ｒa2＝…＝Ｒanに設定される。この実施の形態は例えば、抵抗素子Ｒa（Ｒa1、Ｒa2、…、Ｒan）が抵抗素子Ｒbに比べて抵抗値が十分に大きい場合（例えばＲa＝１０ｋΩ、Ｒb＝１ｋΩで、このとき入力信号はゲイン０．１に減衰して出力される）に好適に適用できると考えられる。すなわちこのとき抵抗素子Ｒaでの電圧降下は抵抗素子Ｒbでの電圧降下よりも大きいので、抵抗素子Ｒaは抵抗素子Ｒbに比べて音質に与える影響が大きいと考えられる。そこで抵抗素子Ｒaとして、材料が異なる複数種類の抵抗素子Ｒa1（例えば窒化タンタル／タンタル二層）、Ｒa2（例えば窒化タンタル／チタン二層）、…、Ｒan（例えばポリシリコン一層）を用意し、抵抗素子Ｒbを例えばポリシリコン一層の抵抗素子で構成する。なおスイッチＳＷ１は図７に示した位置に限らず、抵抗素子Ｒa1、Ｒa2、…、Ｒanの直後位置に配置することもできる。
【００３２】
《実施の形態６》
この発明の実施の形態６を図８に示す。これは図１の実施の形態において抵抗素子Ｒa1、Ｒa2、…、Ｒanを１個の抵抗素子Ｒaで共用したものである。なお図８は反転アンプ１２内の構成のみ示す。図１と共通する部分には同一の符号を用いる。音楽種類選択操作子および音楽種類表示手段は例えば前記図３に示したものを使用することができる。反転アンプ１２以外の構成は図１と同じである。抵抗値はＲb1＝Ｒb2＝…＝Ｒbnに設定される。この実施の形態は例えば、抵抗素子Ｒb（Ｒb1、Ｒb2、…、Ｒbn）が抵抗素子Ｒaに比べて抵抗値が十分に大きい場合（例えばＲa＝１ｋΩ、Ｒb＝１０ｋΩで、このとき入力信号はゲイン１０に増幅して出力される）に好適に適用できると考えられる。すなわちこのとき抵抗素子Ｒbでの電圧降下は抵抗素子Ｒaでの電圧降下よりも大きいので、抵抗素子Ｒbは抵抗素子Ｒaに比べて音質に与える影響が大きいと考えられる。そこで抵抗素子Ｒbとして、材料が異なる複数種類の抵抗素子Ｒb1（例えば窒化タンタル／タンタル二層）、Ｒb2（例えば窒化タンタル／チタン二層）、…、Ｒbn（例えばポリシリコン一層）を用意し、抵抗素子Ｒaを例えばポリシリコン一層の抵抗素子で構成する。なおスイッチＳＷ１’は図８に示した位置に限らず、抵抗素子Ｒb1、Ｒb2、…、Ｒbnの直後位置に配置することもできる。
【００３３】
なお前記実施の形態では各抵抗回路網によるアンプのゲインを相互に等しく設定したが、音楽種類に応じてゲインを異ならせることもできる。例えば「ロック」は他の音楽種類に比べてゲインを大きく設定することができる。また前記実施の形態ではＩＣに内蔵される抵抗回路網にこの発明を適用した場合について説明したが、この発明は抵抗素子をディスクリート部品で構成する場合にも適用することができる。また抵抗素子の材料は前記実施の形態で示したものに限られるものでなく、例えばＭＯＳトランジスタのオン抵抗を抵抗素子として使用することもできる。また前記実施の形態では複数個用意された抵抗回路網のうち単一の抵抗回路網を選択してオペアンプ２２に接続するようにしたが、これに限らず２個以上の抵抗回路網を同時に選択してオペアンプ２２に並列接続することもできる。このようにすれば選択された複数の抵抗回路網を構成する複数種類の抵抗素子による音質をミックスした音質が得られる。また図１以外の各実施の形態においても、図１に二点鎖線Ｌで示したラインの抵抗素子Ｒam、Ｒbmと同様に、切り換えられる抵抗素子と並列に別途抵抗素子を固定的に接続することもできる。また前記実施の形態１〜４では１つの抵抗回路網を構成する複数の抵抗素子を同じ材料で構成したが、異なる材料で構成することもできる（例えば図１の抵抗回路網２４−１の抵抗素子Ｒa1、Ｒb1を異なる材料で構成する等）。また前記実施の形態５，６では、一部の抵抗素子を複数系統の抵抗回路網で共用する構成を反転アンプに適用した場合について示したが、非反転アンプ、分圧回路についても同様の構成を適用することができる。
【符号の説明】
【００３４】
１０，４０，５０，６０：ＩＣ（ＬＳＩ）、１２：反転アンプ（アナログ音声信号が流れる回路、音質調整回路）、１６：信号処理手段、２０：スピーカ、２４−１,２４−２,…,２４−ｎ、３４…前面パネル、４４−１,４４−２,…,４４−ｎ、５４−１,５４−２,…,５４−ｎ、６４−１,６４−２,…,６４−ｎ：抵抗回路網、３２：音楽種類選択操作子（抵抗種類選択操作手段）、３０：抵抗種類切換制御手段、３６：音楽の種類を示す表示（音楽種類表示手段）、４２：非反転アンプ（アナログ音声信号が流れる回路、音質調整回路）、５２：分圧回路（アナログ音声信号が流れる回路、音質調整回路）、ＳＷ１，ＳＷ１’，ＳＷ２，ＳＷ３，ＳＷ４，ＳＷ５，ＳＷ６，ＳＷ７，ＳＷ８：スイッチ（抵抗種類切換手段）、６２：電子ボリウム回路（アナログ音声信号が流れる回路、音質調整回路）、７０：ボリウム制御手段、Ｒa1,Ｒa2,…,Ｒan、Ｒb1,Ｒb2,…,Ｒbn、Ｒc1,Ｒc2,…,Ｒcn、Ｒd1,Ｒd2,…,Ｒdn、Ｒe1,Ｒe2,…,Ｒen、Ｒf1,Ｒf2,…,Ｒfn、Ｒ11,Ｒ12,…,Ｒ1m,Ｒ21,Ｒ22,…,Ｒ2m,・・・,Ｒn1,Ｒn2,…,Ｒnm：抵抗素子
【図１】
2011139386.tif 000003
【図２】
2011139386.tif 000004
【図３】
2011139386.tif 000005
【図４】
2011139386.tif 000006
【図５】
2011139386.tif 000007
【図６】
2011139386.tif 000008
【図７】
2011139386.tif 000009
【図８】
2011139386.tif 000010